(57)【特許請求の範囲】
【請求項１】
周囲の明るさを検出する照度検出手段と、人体の存在を検知する人体検知手段と、照明負荷を点灯制御する制御部とを備え、前記照度検出手段によって検出された周囲の照度が予め設定された所定照度以下の場合に前記人体検知手段が人体を検知したときには、前記照明負荷を点灯制御し、前記人体検知手段が人体を検知しないときには、前記照明負荷を消灯や調光点灯、または点灯制御させ、前記照度検出手段での検出照度が所定照度よりも高くなると、前記照明負荷を消灯させる制御手段（第一の制御手段）と、人体検知手段と照度検出手段の出力に関係なく強制的に前記照明負荷を連続点灯させる制御手段（第二の制御手段）とを有した照明装置において、送受信部と、制御手段の設定部と、制御手段を報知する状態表示手段とを前記照明装置本体と別置に設け、前記設定部の操作により送受信部を介して前記第一の制御手段から前記第二の制御手段へ移行させ、制御手段を報知する表示出力を行うことを特徴とする照明装置。
【請求項２】
壁スイッチのＯＦＦ、ＯＮ操作により負荷の状態をフル点灯（１００％点灯）、調光点灯、豆球点灯、消灯へと切り替えることのできる照明装置において、送受信部と、負荷切替の設定部と、負荷状態を報知する状態表示手段とを前記照明装置本体と別置に設け、前記設定部の操作により送受信部を介して負荷状態を切り替え、前記状態表示手段にて負荷状態を報知させることを特徴とする照明装置。
【請求項３】
前記表示手段を壁スイッチ内に設けたことを特徴とする請求項１又は２記載の照明装置。
【請求項４】
請求項１ないし請求項３いずれか記載の照明装置本体を有していることを特徴とする照明器具。
【発明の詳細な説明】
【０００１】
【発明の属する技術分野】
本発明は、照明装置に関し、さらに詳しくは、ＯＦＦ、ＯＮ操作により負荷の状態を変化させて切り替えることのできる照明装置に関するものである。
【０００２】
【従来の技術】
従来の照明装置としては、図１３に示すごとく、周囲の明るさを検出する照度検出手段１１と、人体の存在を検知する人体検知手段１２と、前記検出手段１１及び１２の信号を受けて照明負荷１７の点灯制御信号を出力する制御部１３と、制御部１３より出力される制御信号を受けて照明負荷１７を点灯制御する点灯回路部１４と、商用電源３０から直流電圧を生成する電源回路部１５と、停電を検知する停電検知回路部１６と、照明負荷（光源）１７と、制御部１３より出力される制御信号を受けて照明装置の動作モード状態を報知する表示手段１８とを備えているものであった。
【０００３】
動作を簡単に説明すると、照度検出手段１１によって検出された周囲の照度が予め設定された所定照度以下になると、制御部１３は点灯回路部１４へ制御信号を出力し、点灯回路部１４は照明負荷１７を調光制御する。照度検出手段１１の検出照度が所定照度以下の場合であって、人体検知手段１２が人体を検知したときには、制御部１３は照明負荷１７をフル点灯（１００％点灯）制御し、人体検知終了後もフル点灯状態を所定の点灯保持時間分だけ保持制御されるものであった。また、照度検出手段１１での検出照度が所定照度よりも高くなると、制御部１３は照明負荷１７を消灯制御させるものであった。（前記制御動作を以下、センサモードと呼ぶ。）
ここで、センサモードの状態であって、スイッチ部分２０がＯＦＦされると、停電検知回路部１６は制御部１３へ信号を出力し、制御部１３は再びスイッチ部分２０がＯＮされるまでの時間が所定時間内（例えば０．２秒から２秒）であるかどうかを判定していた。スイッチ部分２０のＯＦＦ時間が所定時間内であれば、照度検出手段１１と人体検知手段１２との出力に関係なく制御部１３は強制的に照明負荷１７を連続点灯（フル点灯）させる制御動作へ移行した。また、制御部１３は制御動作を移行させた時点で状態表示手段１８へ制御信号を出力し、状態表示手段１８は制御動作が移行したことを報知するためＬＥＤを点灯させるものであった。（前記制御動作を以下、連続モードと呼ぶ。）
このように構成された照明装置は、例えば、壁スイッチのようなスイッチ操作によりセンサモードから連続モードへモード移行した場合、制御部１３は状態表示手段１８へ制御信号を出力し、ＬＥＤを点灯させ、制御動作モードが移行したことを報知するため、動作モードの判別が容易となるものであった。
【０００４】
上述の照明装置本体１０を搭載した照明器具の外観を図１４に示した。この照明器具は壁面に取り付け可能にされたブラケット型器具であり、照度検出手段１１と、人体検知手段１２と、状態表示手段１８は器具本体４１の下部のレンズ内に配置されている。照明負荷１７（光源）は、器具本体４１の前面に取り付けされたグローブ４２内に収容されている（図示せず）。図１５は、各動作モードにおける状態表示の点灯動作を示したものである。
【０００５】
【発明が解決しようとする課題】
しかしながら、このような照明装置本体１０を搭載した図１４に示すような照明器具が、玄関の外などの屋外に設置された場合、屋内にいる人が現在の動作モードを判別するためには、一旦外に出てＬＥＤの表示を確認しなければならず、わずらわしいという問題点があった。つまり、屋内に設置されるスイッチ操作により制御動作のモード移行を簡単に実現できても、ＬＥＤ表示が屋外の照明器具内に設置されているために、モードが移行したかどうかはその場でわからず不便なものであった。
【０００６】
本発明は、上述の事実に鑑みてなされたものであって、その目的とするところは、現在の動作モードを簡単に屋内から判別することができて、使い勝手を良くすることができる照明装置を提供することにある。
【０００７】
【課題を解決するための手段】
本発明の請求項１に係る照明装置は、周囲の明るさを検出する照度検出手段と、人体の存在を検知する人体検知手段と、照明負荷を点灯制御する制御部とを備え、前記照度検出手段によって検出された周囲の照度が予め設定された所定照度以下の場合に前記人体検知手段が人体を検知したときには、前記照明負荷を点灯制御し、前記人体検知手段が人体を検知しないときには、前記照明負荷を消灯や調光点灯、または点灯制御させ、前記照度検出手段での検出照度が所定照度よりも高くなると、前記照明負荷を消灯させる制御手段（第一の制御手段）と、人体検知手段と照度検出手段の出力に関係なく強制的に前記照明負荷を連続点灯させる制御手段（第二の制御手段）とを有した照明装置において、送受信部と、制御手段の設定部と、制御手段を報知する状態表示手段とを前記照明装置本体と別置に設け、前記設定部の操作により送受信部を介して前記第一の制御手段から前記第二の制御手段へ移行させ、制御手段を報知する表示出力を行うことを特徴とする。
【０００８】
本発明の請求項２に係る照明装置は、壁スイッチのＯＦＦ、ＯＮ操作により負荷の状態をフル点灯（１００％点灯）、調光点灯、豆球点灯、消灯へと切り替えることのできる照明装置において、送受信部と、負荷切替の設定部と、負荷状態を報知する状態表示手段とを前記照明装置本体と別置に設け、前記設定部の操作により送受信部を介して負荷状態を切り替え、前記状態表示手段にて負荷状態を報知させることを特徴とする。
【０００９】
本発明の請求項３に係る照明装置は、前記表示手段を壁スイッチ内に設けたことを特徴とする。
【００１０】
本発明の請求項４に係る照明器具は、請求項１ないし請求項３いずれか記載の照明装置本体を有していることを特徴とする。
【００２０】
【発明の実施の形態】
以下、本発明を実施形態に係る図面に基づいて詳しく説明する。
【００２１】
図１は、本発明の第１の実施形態である照明装置の構成を示すブロック図である。図２は、本発明の第１の実施形態である照明装置の制御動作を示したタイミングチャートである。図３は、本発明の第１の実施形態である照明装置のスイッチ部分を示した正面図である。図４は、本発明の第２の実施形態である照明装置のスイッチ部分を示した正面図である。図５は、本発明の第３の実施形態である照明装置の構成を示すブロック図である。図６は、本発明の第３の実施形態である照明装置の受信機を示した正面図である。図７は、本発明の第４の実施形態である照明装置の受信機の構成を示すブロック図である。図８は、本発明の第４の実施形態である照明装置の受信機を示した正面図である。図９は、本発明の第５の実施形態である照明装置の受信機の斜視図を示したものであり、同図９の（ａ）は、表面側から見たもの、同図９の（ｂ）は、裏面側から見たものを示す。図１０は、本発明の第６の実施形態である照明装置の受信機を示した正面図である。図１１は、本発明の第７の実施形態である照明装置の構成を示すブロック図である。図１２は、本発明の第７の実施形態である照明装置の送受信機を示した正面図である。
【００２２】
本発明の照明装置は、図１に示すごとく、壁スイッチのようなスイッチ部分２０のＯＦＦ、ＯＮ操作により負荷の状態を変化させて切り替えることのできる照明装置において、負荷の状態を報知する表示手段２４を設けているものである。
【００２３】
また、本発明の照明装置は、図１に示すごとく、周囲の明るさを検出する照度検出手段１１と、人体の存在を検知する人体検知手段１２と、照明負荷１７を点灯制御する制御部１３と、停電検知回路部１６とを備え、前記照度検出手段１１によって検出された周囲の照度が予め設定された所定照度以下の場合に前記人体検知手段１２が人体を検知したときには、前記照明負荷１７を点灯制御し、前記人体検知手段１２が人体を検知しないときには、前記照明負荷１７を消灯や調光点灯、または点灯制御させ、前記照度検出手段１１での検出照度が所定照度よりも高くなると、前記照明負荷１７を消灯させる制御手段（第一の制御手段）と、人体検知手段１２と照度検出手段１１の出力に関係なく強制的に前記照明負荷１７を連続点灯させる制御手段（第二の制御手段）とを有し、例えば壁スイッチのようなスイッチ２０の操作と組合せ、電源ＯＦＦ、ＯＮによる電源ＯＦＦ時間が所定時間内であるかどうかを判定し、所定時間内であれば、前記第一の制御手段から前記第二の制御手段へ移行させる照明装置において、制御手段を報知する表示手段を設けているものでもある。
【００２４】
そして、本発明の照明装置は、図１１に示すごとく、周囲の明るさを検出する照度検出手段１１と、人体の存在を検知する人体検知手段１２と、照明負荷１７を点灯制御する制御部１３とを備え、前記照度検出手段１１によって検出された周囲の照度が予め設定された所定照度以下の場合に前記人体検知手段１２が人体を検知したときには、前記照明負荷１７を点灯制御し、前記人体検知手段１２が人体を検知しないときには、前記照明負荷１７を消灯や調光点灯、または点灯制御させ、前記照度検出手段１１での検出照度が所定照度よりも高くなると、前記照明負荷１７を消灯させる制御手段（第一の制御手段）と、人体検知手段１２と照度検出手段１１の出力に関係なく強制的に前記照明負荷１７を連続点灯させる制御手段（第二の制御手段）とを有した照明装置において、送受信部５１と、制御手段の設定部５７と、制御手段を報知する状態表示手段５３とを前記照明装置本体１０と別置に設け、前記設定部５７の操作により送受信部５１を介して前記第一の制御手段から前記第二の制御手段へ移行させ、制御手段を報知する表示出力を行うものであってもかまわないものである。
【００２５】
さらに、本発明の照明装置は、図１１に示すごとく、壁スイッチのＯＦＦ、ＯＮ操作により負荷の状態をフル点灯（１００％点灯）、調光点灯、豆球点灯、消灯へと切り替えることのできる照明装置において、送受信部５１と、負荷切替の設定部５７と、負荷状態を報知する状態表示手段５３とを前記照明装置本体１０と別置に設け、前記設定部５７の操作により送受信部５１を介して負荷状態を切り替え、前記状態表示手段５３にて負荷状態を報知させるものであってもかまわないものである。
【００２６】
以下、本発明の実施形態を個々に説明する。
【００２７】
（実施形態１）
図１は、本発明の第１の実施形態である照明装置の構成を示すブロック図である。図２は、本発明の第１の実施形態である照明装置の制御動作を示したタイミングチャートである。
【００２８】
上述の従来例と異なる点は、図１に示すようにスイッチ部分２０内に、スイッチ２１に加えて表示手段２４を備え、照明装置本体１０への電源供給を検出する検出手段２２と、検出手段２２の出力を受けて状態表示手段２４を制御する表示制御部２３とを有している。
【００２９】
その他の構成は、従来例と同一符号であるため、説明を省略する。
【００３０】
ここで、表示制御部２３は、検出手段２２の出力を受け、所定のしきい値Ａ、Ｂとの比較を行い、しきい値Ａ≦出力＜しきい値Ｂであることを条件に例えば光源にＬＥＤを用いた表示手段２４の出力１をＯＮする。また、しきい値Ｂ≦出力であることを条件に表示手段２４の出力２をＯＮし、しきい値Ａ＞出力であれば出力１、出力２ともにＯＦＦするものである。
【００３１】
以下、図２を用いて動作を説明する。
【００３２】
センサモードにおいて照度検出手段１１によって検出された周囲の照度が予め設定された所定照度以下になると、制御部１３は点灯回路部１４へ制御信号を出力し、点灯回路部１４は照明負荷１７を調光制御（２０％点灯）する。このとき、電源供給の検出手段２２の出力は、低出力状態から調光点灯に応じて高くなる（ａ点）。次に照度検出手段１１の検出照度が所定照度以下の場合であって、人体検知手段１２が人体を検知したとき（ｂ点）には、制御部１３は照明負荷１７を点灯（９５％点灯）制御し、人体検知終了後も９５％点灯状態を所定の点灯保持時間分Ｔ３だけ保持制御させる。検出手段２２の出力は、点灯（９５％点灯）に応じて更に高くなる。その後Ｔ３時間が経過すると、再び調光点灯制御に戻り、検出手段２２の出力も低下する。ｃ点においてスイッチ２１がＯＦＦされると、停電検知回路部１６は制御部１３へ信号を出力し、制御部１３は再びスイッチ２１がＯＮされるまでの時間Ｔ１が所定時間内（例えば、０．２秒から２秒）であるかどうかを判定する。Ｔ１時間が所定時間内であれば、照度検出手段１１と人体検知手段１２との出力に関係なく制御部１３は強制的に照明負荷１７を連続点灯（１００％点灯）させる連続モードへ移行する。このとき検出手段２２の出力は、連続点灯（１００％点灯）に応じてしきい値Ｂを超えるため、表示制御部２３は表示手段２４の出力２をＯＮする。連続モードにおいて再びスイッチ２１がＯＦＦされると（ｄ点）、上述と同様に制御部１３はスイッチ２１がＯＮされるまでの時間Ｔ２が所定時間内であるかどうかを判定し、所定時間内であれば、センサモードへ移行させ、制御部１３は照度検出手段１１によって検出された周囲の照度が所定照度以下であるため、照明負荷１７を調光制御する。検出手段２２の出力は、調光点灯に応じてしきい値Ｂを下回り、しきい値Ａ≦出力＜しきい値Ｂであるため、表示制御部２３は表示手段２４の出力２をＯＦＦし、出力１をＯＮする。ｅ点にて照度検出手段１１での検出照度が所定照度よりも高くなると、制御部１３は照明負荷１７を消灯制御させ、検出手段２２の出力が低出力状態になる。ここで、表示制御部２３はしきい値Ａ≦出力＜しきい値Ｂであるため、表示手段２４の出力１のＯＮを継続する。スイッチ２１がＯＦＦされると（ｆ点）、照明装置への電源供給がなくなるため、検出手段２２の出力は略ゼロとなり、しきい値Ａを下回るため、表示制御部２３は表示手段２４の出力１、出力２ともにＯＦＦするものである。
【００３３】
このように制御動作する照明装置においては、前記センサモードと連続モードを有し、例えば壁スイッチのようなスイッチの操作と組合せ、電源ＯＦＦ、ＯＮによる電源ＯＦＦ時間が所定時間内であるかどうかを判定し、所定時間内であれば、前記センサモードから、連続モードへ移行させる照明装置において、照明装置本体１０への電源供給を検出することにより表示手段２４の出力１もしくは出力２をＯＮさせる、動作モードの表示手段を壁スイッチ部内に設けたため、制御動作モードが屋内にいながら壁スイッチ部にてわかり、使い勝手が良いという効果を照明器具への配線を増やすことなく実現できる。図３は、本実施形態の連続モード時におけるスイッチ部分２０を示したものである。
【００３４】
（実施形態２）
図４は、本発明の第２の実施形態であるスイッチ部分２０を示したものである。照明装置の構成を示すブロック図は上述の第１の実施形態と同一のため、説明を省略する。
【００３５】
上述の第１の実施形態と異なる点は、センサ及び連続モードの動作モードの表示手段のみでなく、センサモードにおける制御動作状態を表示する手段２４を更に設けたことにある。つまり、センサモードにおいて照度検出手段１１と、人体検知手段１２の信号により、制御部１３が９５％点灯や調光点灯、消灯などの複数の点灯制御動作を行うため、その電源供給を検出することにより、表示制御部２３が複数の表示手段２４の出力をＯＮ、ＯＦＦ制御させるものである。図４のように照度検出手段１１によって検出された周囲の照度が予め設定された所定照度以下になると、制御部１３が照明負荷１７を調光制御（２０％点灯）するのにともない、表示制御部２３はお出迎え表示の出力をＯＮする。また、照度検出手段１１の検出照度が所定照度以下の場合であって、人体検知手段１２が人体を検知したときには、制御部１３は照明負荷１７を点灯（９５％点灯）制御し、表示制御部２３は自動点灯表示の出力をＯＮする。照度検出手段１１での検出照度が所定照度よりも高くなると、制御部１３は照明負荷１７を消灯制御させ、表示制御部２３は待機消灯表示の出力をＯＮするのである。ここでスイッチ２１の操作により、上述のセンサモードより連続モードへ移行した場合は、表示制御部２３は連続点灯表示の出力をＯＮする。
【００３６】
このように制御動作する照明装置においては、前記第１の実施形態と略同様の効果に加えて、センサモードにおける制御動作状態を表示する手段を新たに設けたため、更に表示がわかりやすくなり、特に消灯制御している場合は、周囲が所定照度より高いために消灯制御しているのか、電源が入っていないからなのか、照明装置が故障しているからなのか、など動作状態がよくわかるという効果もある。
【００３７】
（実施形態３）
図５は、本発明の第３の実施形態である照明装置の構成を示すブロック図である。図６は、本発明の第３の実施形態である照明装置の受信機を示した正面図である。図１３のような従来例と異なる点は、照明装置本体１０を備えた照明器具とは別置に受信機５０を設け、受信機内に受信部５１と表示制御部５２及び状態表示手段５３を備え、また、照明装置本体１０内の制御部１３より信号を受け、送信信号を出力する送信部１９を備えた点にある。その他の構成は上述の従来例と同一符号であるため、説明を省略する。
【００３８】
送信部１９の送信信号は例えば電波方式であって、受信機５０の電源部（図示せず）は例えば乾電池を用いる。
【００３９】
このように制御動作する照明装置においては、前記センサモードと連続モードを有し、例えば、壁スイッチのようなスイッチの操作と組合せ、電源ＯＦＦ、ＯＮによる電源ＯＦＦ時間が所定時間内であるかどうかを判定し、所定時間内であれば、前記センサモードから連続モードへ移行させる照明装置において、制御部１３より動作モード信号を受けた送信部１９は送信信号を出力する。ここで、受信機内の表示制御部５２は、信号に応じて表示手段５３の出力１もしくは出力２をＯＮさせる、動作モードの表示を行うものである。つまり、制御動作モードの表示手段を受信機の構成にしたため、前記第１の実施形態と略同様の効果に加えて、受信機である表示部の設置場所を自由に選択できるという効果もある。
【００４０】
（実施形態４）
図７は、本発明の第４の実施形態である照明装置の受信機５０の構成を示すブロック図であり、図８は、その受信機５０を示したものである。図５のような第３の実施形態と異なる点は、表示制御部５２と状態表示手段５３間に表示スイッチ５４を設け、表示制御部５２内にメモリ部５５とタイマ部５６を設けた点にある。その他、照明装置本体１０の構成を示すブロック図は上述の第３の実施形態と同一のため、説明を省略する。
【００４１】
受信機５０は、送信部１９より送信信号を受信すると、表示制御部５２内のメモリ部５５に信号を書き込む。ここで表示スイッチ５４がＯＮされると、表示制御部５２がメモリ部５５を呼び出し、信号に応じて表示手段５３の出力１もしくは出力２をＯＮさせ、同時にタイマ部５６を動作させる。タイマ部５６は所定の点灯保持時間が設定されており、時間が経過すると、表示手段５３の出力をＯＦＦするものである。つまり、表示制御部５２は送信部１９より信号を受けても常に状態表示を行わず、表示スイッチ５４をＯＮしたときのみ所定時間表示を行うものであるから、例えば、受信機５０の電源部を乾電池で構成した場合、前記第３の実施形態と略同様の効果に加えて、電源消費を抑え、電池寿命を延ばす効果もある。
【００４２】
（実施形態５）
図９は、本発明の第５の実施形態である照明装置の受信機５０の斜視図を示したものであり、図９の（ａ）は表面、図９の（ｂ）は裏面を示す。上述の第３の実施形態と異なる点は、表示制御部５２の電源部を商用電源から直流電圧を生成するよう構成し、図９の（ｂ）に示すように裏面に差込刃を設けた点である。その他、動作は上述の第３の実施形態と同一のため、説明を省略する。
【００４３】
このように制御動作する照明装置においては、受信機である表示部をコンセントに設置すればよく、電池寿命を気にする必要がないという効果がある。
【００４４】
（実施形態６）
図１０は、本発明の第６の実施形態である照明装置の受信機５０を示したものである。図９の第５の実施形態と異なる点は、差込刃ではなく、動作モードの表示部である受信機を壁スイッチ内に配置した点である。その他、動作は上述の第５の実施形態と同一のため、説明を省略する。
【００４５】
このように制御動作する照明装置においては、モード移行のスイッチ操作部と、モード表示部を同一のスイッチ部内に配置したため、使い勝手が更に良いという効果がある。
【００４６】
（実施形態７）
図１１は、本発明の第７の実施形態である照明装置の構成を示すブロック図であり、図１２は、その送受信機５０を示したものである。上述の第３の実施形態と異なる点は、送信部１９及び受信部５１をそれぞれ送受信部で構成し、送受信機５０内に動作モードの設定部５７を新たに設け、また、照明装置本体１０内の停電検知回路部１６をなくした点にある。
【００４７】
このように制御動作する照明装置においては、前記センサモードと連続モードを有し、動作モードを移行させるには送受信機５０内の設定部５７をＯＮ操作する。連続モードへ移行させるには図１２に示すように連続の設定部をＯＮし、表示制御部は状態表示手段５３へ連続の出力をＯＮするとともに、送受信部５１を介して送受信部１９へ連続モードの送信信号を出力する。送信信号を受けた制御部１３は、点灯回路部を介し照明負荷を連続点灯（１００％点灯）させる。逆にセンサモードへ移行させるには、自動の設定部５７をＯＮするものである。つまり、制御動作モードの表示手段を送受信機の構成にしたため、上述の第３の実施例と略同様の効果に加えて、動作モードの切替も送受信機で操作することができ、壁スイッチ操作によるモード切替に比べ、瞬時停電などによる誤動作がなくなるという効果もある。
【００４８】
また、本実施形態は、前記第４の実施形態のように表示スイッチを設け、ＯＮしたときのみ所定時間表示を行うように構成することで、例えば送受信機５０の電源部を乾電池で構成した場合、電源消費を抑え、電池寿命を延ばす新たな効果があり、前記第５の実施形態のように送受信機５０の裏面に差込刃を設ければ、送受信機をコンセントに設置すればよく、電池寿命を気にする必要がないという効果となる。更に、前記第６の実施形態のように送受信機５０を壁スイッチ内に設けた構成であっても良い。
【００４９】
なお、本実施形態では送信信号を電波方式で記述したが、それに限らず赤外線方式や超音波方式などであっても良いことは言うまでもない。
【００５０】
また、本実施形態では動作モードの表示手段として記述したが、それに限らず電力や電流、電圧を表示するものであっても良く、動作モードでなく、レベル表示であっても良い。
【００５１】
さらに、本発明の実施形態の構成に限らず、壁スイッチのＯＦＦ、ＯＮ操作により負荷の状態を例えばフル点灯（１００％点灯）、調光点灯、豆球点灯、消灯と切替えることのできる照明装置においても、本発明と同様の効果が得られることは言うまでもない。照明装置がリモコン式である場合も同様の効果が得られるのである。
【００５２】
本発明の照明装置によると、状態表示手段を照明装置本体と別置に設けているため、制御動作が屋内にいながらわかり、使い勝手が良いという効果を照明器具への配線を増やすことなく実現できるものである。
【図面の簡単な説明】
【図１】本発明の第１の実施形態である照明装置の構成を示すブロック図である。
【図２】本発明の第１の実施形態である照明装置の制御動作を示したタイミングチャートである。
【図３】本発明の第１の実施形態である照明装置のスイッチ部分を示した正面図である。
【図４】本発明の第２の実施形態である照明装置のスイッチ部分を示した正面図である。
【図５】本発明の第３の実施形態である照明装置の構成を示すブロック図である。
【図６】本発明の第３の実施形態である照明装置の受信機を示した正面図である。
【図７】本発明の第４の実施形態である照明装置の受信機の構成を示すブロック図である。
【図８】本発明の第４の実施形態である照明装置の受信機を示した正面図である。
【図９】本発明の第５の実施形態である照明装置の受信機の斜視図を示したものであり、（ａ）は、表面側から見たもの、（ｂ）は、裏面側から見たものを示す。
【図１０】本発明の第６の実施形態である照明装置の受信機を示した正面図である。
【図１１】本発明の第７の実施形態である照明装置の構成を示すブロック図である。
【図１２】本発明の第７の実施形態である照明装置の送受信機を示した正面図である。
【図１３】一従来例の照明装置の構成を示すブロック図である。
【図１４】一従来例の照明装置を用いた照明器具の外観図である。
【図１５】一従来例の照明装置である動作モード表示の点灯状態を示した説明図である。
【符号の説明】
１０  照明装置本体
１１  照度検出手段
１２  人体検知手段
１３  制御部
１６  停電検知回路部
１７  照明負荷
２０  スイッチ部分
２４  表示手段
５１  送受信部
５３  状態表示手段
５７  設定部
【図１】
0003788333.tif 000002
【図２】
0003788333.tif 000003
【図３】
0003788333.tif 000004
【図４】
0003788333.tif 000005
【図５】
0003788333.tif 000006
【図６】
0003788333.tif 000007
【図７】
0003788333.tif 000008
【図８】
0003788333.tif 000009
【図９】
0003788333.tif 000010
【図１０】
0003788333.tif 000011
【図１１】
0003788333.tif 000012
【図１２】
0003788333.tif 000013
【図１３】
0003788333.tif 000014
【図１４】
0003788333.tif 000015
【図１５】
0003788333.tif 000016